(57)【特許請求の範囲】
【請求項１】
カラー画像の各画素におけるＲＧＢ値の大小関係を用いて、植生領域を構成する画素を抽出する、植生領域抽出工程と、
抽出した前記植生領域の各画素について、Ｒ成分値をＧ成分値で除してＲ／Ｇ値を算出し、該Ｒ／Ｇ値を用いたヒストグラムを作成する、ヒストグラム作成工程と、
作成された前記ヒストグラムから得られる統計量を用いて、前記植生領域が単一植生領域であるか混在植生領域であるかを分類する、クラス分類工程と、
前記クラス分類工程において、前記植生領域が混在植生領域に分類された場合、該植生領域において前記Ｒ／Ｇ値が閾値未満である画素から構成される領域を、有害植生領域と判別する、判別工程と、
を備える、カラー画像に含まれる植生領域の判別方法。
【請求項２】
前記ヒストグラム作成工程において、前記Ｒ／Ｇ値を所定の階調に正規化し、各階調における画素数をヒストグラム化する、請求項１に記載の判別方法。
【請求項３】
前記クラス分類工程において、前記統計量として、前記Ｒ／Ｇ値の平均値、前記ヒストグラムの歪度及び尖度を用いる、請求項１又は２に記載の判別方法。
【請求項４】
前記ヒストグラム作成工程において、前記Ｒ／Ｇ値を所定の階調に正規化して、各階調における画素数についてヒストグラム化し、前記クラス分類工程において、該ヒストグラムから得られる統計量が下記（１）〜（３）の条件をすべて満たす場合に、前記植生領域を混在植生領域に分類し、下記（１）〜（３）の条件をいずれか一つでも満たさない場合に、前記植生領域を単一植生領域に分類する、請求項１に記載の判別方法。
（１）Ｒ／Ｇ値の平均値が閾値以下
（２）ヒストグラムの歪度が閾値以下
（３）ヒストグラムの尖度が閾値以下
【請求項５】
前記植生領域抽出工程において、前記カラー画像の各画素についてＲＧＢ値を求め、該ＲＧＢ値が下記条件（Ｉ）又は（ＩＩ）を満たす画素から構成される領域を植生領域として抽出する、請求項１〜４のいずれか１項に記載の判別方法。
（Ｉ）０＜Ｂ／（Ｇ−Ｂ）＜Ｎ、且つ、Ｒ≦Ｇ又はＢ＋Ｍ＜Ｇ
（ここで、Ｎは最大階調値の１％以上６％以下のいずれかの値であり、Ｍは最大階調値の９％以上１４％以下のいずれかの値である。）
（ＩＩ）Ｒ、Ｇ、Ｂともに、最大階調値の７８％以上
【請求項６】
カラー画像の各画素におけるＲＧＢ値の大小関係を用いて、植生領域を構成する画素を抽出する、植生領域抽出手段と、
抽出した前記植生領域の各画素について、Ｒ成分値をＧ成分値で除してＲ／Ｇ値を算出し、該Ｒ／Ｇ値を用いたヒストグラムを作成する、ヒストグラム作成手段と、
作成された前記ヒストグラムから得られる統計量を用いて、前記植生領域が単一植生領域であるか混在植生領域であるかを分類する、クラス分類手段と、
前記クラス分類手段において、前記植生領域が混在植生領域に分類された場合、該植生領域において前記Ｒ／Ｇ値が閾値未満である画素から構成される領域を有害植生領域と判別する、判別手段と、
を備える、カラー画像に含まれる植生領域の判別装置。
【請求項７】
前記ヒストグラム作成手段が、前記Ｒ／Ｇ値を所定の階調に正規化し、各階調における画素数をヒストグラム化する手段である、請求項６に記載の判別装置。
【請求項８】
前記クラス分類手段において、前記統計量として、前記Ｒ／Ｇ値の平均値、前記ヒストグラムの歪度及び尖度が用いられる、請求項６又は７に記載の判別装置。
【請求項９】
前記ヒストグラム作成手段が、前記Ｒ／Ｇ値を所定の階調に正規化して、各階調における画素数をヒストグラム化する手段であり、前記クラス分類手段が、該ヒストグラムから得られる統計量が下記（１）〜（３）の条件をすべて満たす場合に、前記植生領域を混在植生領域に分類し、下記（１）〜（３）の条件をいずれか一つでも満たさない場合に、前記植生領域を単一植生領域に分類する手段である、請求項６に記載の判別装置。
（１）Ｒ／Ｇ値の平均値が閾値以下
（２）ヒストグラムの歪度が閾値以下
（３）ヒストグラムの尖度が閾値以下
【請求項１０】
前記植生領域抽出手段が、前記カラー画像の各画素についてＲＧＢ値を求め、該ＲＧＢ値が下記条件（Ｉ）又は（ＩＩ）を満たす画素から構成される領域を植生領域として抽出する手段である、請求項６〜９のいずれか１項に記載の判別装置。
（Ｉ）０＜Ｂ／（Ｇ−Ｂ）＜Ｎ、且つ、Ｒ≦Ｇ又はＢ＋Ｍ＜Ｇ
（ここで、Ｎは最大階調値の１％以上６％以下のいずれかの値であり、Ｍは最大階調値の９％以上１４％以下のいずれかの値である。）
（ＩＩ）Ｒ、Ｇ、Ｂともに、最大階調値の７８％以上
【請求項１１】
カラー画像を撮像する撮像装置と、
請求項６〜１０のいずれか１項に記載の判別装置と、
を備える、カラー画像に含まれる植生領域の判別システム。
【請求項１２】
カラー画像が入力された請求項６〜１０のいずれか１項に記載の判別装置に、
前記カラー画像の各画素におけるＲＧＢ値の大小関係を用いて、該カラー画像に含まれる植生領域を抽出させ、
抽出させた前記植生領域の各画素に係るＲＧＢ値について、Ｒ成分値をＧ成分値で除してＲ／Ｇ値を算出させ、該Ｒ／Ｇ値を用いたヒストグラムを作成させ、
作成させた前記ヒストグラムから得られる統計量を用いて、前記植生領域が単一植生領域であるか混在植生領域であるかを分類させ、
前記植生領域が混在植生領域に分類された場合、該植生領域において前記Ｒ／Ｇ値が閾値未満である画素部分を有害植生領域と判別させる、
カラー画像に含まれる植生領域を判別させるプログラム。
【請求項１３】
前記判別装置に、前記Ｒ／Ｇ値を所定の階調に正規化させ、各階調における画素数をヒストグラム化させる、請求項１２に記載のプログラム。
【請求項１４】
前記判別装置に、前記統計量として、前記Ｒ／Ｇ値の平均値、前記ヒストグラムの歪度及び尖度を算出させる、請求項１２又は１３に記載のプログラム。
【請求項１５】
前記判別装置に、前記Ｒ／Ｇ値を所定の階調に正規化して各階調における画素数をヒストグラム化させ、該ヒストグラムから得られる統計量が下記（１）〜（３）の条件をすべて満たす場合に、前記植生領域を混在植生領域に分類させ、下記（１）〜（３）の条件をいずれか一つでも満たさない場合に、前記植生領域を単一植生領域に分類させる、請求項１２に記載のプログラム。
（１）Ｒ／Ｇ値の平均値が閾値以下
（２）ヒストグラムの歪度が閾値以下
（３）ヒストグラムの尖度が閾値以下
【請求項１６】
前記判別装置に、前記カラー画像の各画素についてＲＧＢ値を求めさせ、該ＲＧＢ値が下記条件（Ｉ）又は（ＩＩ）を満たす画素から構成される領域を植生領域として抽出させる、請求項１２〜１５のいずれか１項に記載のプログラム。
（Ｉ）０＜Ｂ／（Ｇ−Ｂ）＜Ｎ、且つ、Ｒ≦Ｇ又はＢ＋Ｍ＜Ｇ
（ここで、Ｎは最大階調値の１％以上６％以下のいずれかの値であり、Ｍは最大階調値の９％以上１４％以下のいずれかの値である。）
（ＩＩ）Ｒ、Ｇ、Ｂともに、最大階調値の７８％以上
【発明の詳細な説明】
【技術分野】
【０００１】
本発明は、カラー画像から植生領域を抽出し、当該植生領域において、無害植生領域（芝領域）と有害植生領域とを判別することが可能な、判別方法、判別装置、判別システム、及び判別プログラムに関する。
【背景技術】
【０００２】
河川堤防は、洪水時に流水が河川外に流出することを防止し、流域付近の財産を守っている。河川堤防の斜面には芝が張られる場合があり、当該芝によって河川堤防の斜面を強固に固定し、洪水時の流水による河川堤防の決壊等を防いでいる。一方で、河川堤防には自然に雑草等の有害植生が繁茂する。当該有害植生が繁茂してしまうと、芝が枯死してしまい、河川堤防の斜面の強度が落ちてしまう。このため、河川堤防においては、定期的に有害植生を対象とした除草を実施する必要がある。除草を行う際の判断基準は、植生の種類や成長程度（面積、背丈等）である。現状では、除草の判断は目視により行われており、河川堤防管理者の負担となっている。
【０００３】
一方、河川堤防には、河川管理用のカメラが設置されている場合がある。これにより、任意の地点及び時間毎に静止画像を取得することが可能である。現在、係る画像は河川の遠隔監視に利用されており、植生の状況も撮影可能である。このため、取得した画像に画像処理を施して、河川堤防の状況を自動的に収集し、有害植生の定量的な評価を行うことは、河川堤防の維持管理を支援する技術となり得る。
【０００４】
しかしながら、屋外の自然環境下で取得した画像データを解析に用いる場合、観測対象の色情報が一様とはならない。また、観測対象が同一であっても、天候や時間等のデータ取得条件によって、画像中の色調が異なることから、解析において誤認識を引き起こしやすい。したがって、河川堤防画像を解析する際も、これらを考慮する必要がある。
【０００５】
例えば、航空写真や衛星写真から自動的に植生状況を判定する手法が各種提案されているが（特許文献１〜３等）、これら手法にあっては、複数の植生が混在している場合、当該植生が有害植生であるか否かを判別することができず、有害植生のみを検出することは困難であった。
【０００６】
当該問題を解決すべく、特許文献４においては、植生調査対象地域を撮影した植生調査対象地域画像中の識別対象植生画像から、Ｒ成分画像、Ｇ成分画像、Ｂ成分画像を作成し、テクスチャ解析によって、これらＲ成分画像、Ｇ成分画像、Ｂ成分画像から、各々の画像の特徴量としての、輝度値の平均値、コントラストの平均値、滑らかさ、一様性、エントロピーのうちの１つ以上を抽出することにより、対象画像から有害植生のみを検出可能としている。しかしながら、特許文献４に係る技術にあっては、天候や時間等のデータ取得条件によって変化し得るパラメータを特徴量として抽出しており、解析において誤認識を引き起こしやすいものであった。
【先行技術文献】
【特許文献】
【０００７】
【特許文献１】特開２００７−３０３８５５号公報
【特許文献２】特開２００６−２５２５２９号公報
【特許文献３】特開２００７−１２８１４１号公報
【特許文献４】特開２００８−２１０１６５号公報
【発明の概要】
【発明が解決しようとする課題】
【０００８】
そこで本発明は、季節変化や太陽光等のデータ取得条件の影響を低減しつつ、カラー画像から植生領域を抽出し、当該植生領域において、無害植生領域（芝領域）と有害植生領域とを適切に判別することが可能な、判別方法、判別装置及び判別プログラムを提供することを課題とする。
【課題を解決するための手段】
【０００９】
本発明者らは、画像データにおける植生領域の判別方法について研究を進めた結果、以下の知見を得た。
（１）植生領域においては、ＲＧＢの各成分のうち、Ｇ成分が他の成分よりも値が大きくなる。また、植生領域とそれ以外の領域とでは、ＲＧＢの各成分値に所定の大小関係がある。すなわち、カラー画像の各画素におけるＲＧＢ値の大小関係を用いることで、画像から植生領域のみを適切に抽出することが可能である。
（２）植生領域に含まれる有害植生領域と芝領域とについてＲＧＢ値を比較・解析した場合、（Ｇ−Ｒ）値が、有害植生領域では大きく、芝領域では小さな値となる。すなわち、Ｒ成分値をＧ成分値で除したＲ／Ｇ値は、有害植生領域では小さく、芝領域では大きな値となる。
（３）植生領域を解析する際、Ｒ／Ｇ値をパラメータとして用いると、季節変化や太陽光等のデータ取得条件の影響が低減された相対的な解析が可能となる。例えば、植生領域において有害植生領域と芝領域とが混在する場合、Ｒ／Ｇ値が閾値以上の画素部分を芝領域、Ｒ／Ｇ値が閾値未満の画素部分を有害植生領域として相対的に判別することが可能である。
（４）植生領域における各画素について、それぞれＲ／Ｇ値を算出し、Ｒ／Ｇ値についてのヒストグラムを作成した場合、植生領域において有害植生領域と芝領域とが混在する場合（混在植生領域）と、芝領域のみ又は有害植生領域のみが存在する場合（単一植生領域）とで、ヒストグラムの形状が異なる。すなわち、作成したヒストグラムから取得される統計量を用いることにより、植生領域が混在植生領域であるのか単一植生領域であるのかを適切に分類することが可能である。
【００１０】
本発明は上記知見に基づいてなされたものである。すなわち、
第１の本発明は、カラー画像の各画素におけるＲＧＢ値の大小関係を用いて、植生領域を構成する画素を抽出する、植生領域抽出工程と、
抽出した植生領域の各画素について、Ｒ成分値をＧ成分値で除してＲ／Ｇ値を算出し、当該Ｒ／Ｇ値を用いたヒストグラムを作成する、ヒストグラム作成工程と、
作成されたヒストグラムから得られる統計量を用いて、植生領域が単一植生領域であるか混在植生領域であるかを分類する、クラス分類工程と、
クラス分類工程において、植生領域が混在植生領域に分類された場合、当該植生領域においてＲ／Ｇ値が閾値未満である画素から構成される領域を、有害植生領域と判別する、判別工程と、
を備える、カラー画像に含まれる植生領域の判別方法である。
【００１１】
本願において、「植生」とは、植物の集団を意味する。特に、河川堤防における植生にあっては、芝と有害植生とに大別される。河川堤防において、有害植生は繁茂によって芝を枯死させるものである。有害植生の具体例としては、例えば、多年生植物であるイタドリを挙げることができる。
【００１２】
第１の本発明に係るヒストグラム作成工程においては、Ｒ／Ｇ値を所定の階調に正規化し、各階調における画素数をヒストグラム化することが好ましい。
【００１３】
第１の本発明に係るクラス分類工程においては、統計量として、Ｒ／Ｇ値の平均値、ヒストグラムの歪度及び尖度を用いることが好ましい。
【００１４】
第１の本発明に係るヒストグラム作成工程においては、Ｒ／Ｇ値を所定の階調（例えば、２５６階調が望ましい。）に正規化して、各階調における画素数についてヒストグラム化し、クラス分類工程において、当該ヒストグラムから得られる統計量が下記（１）〜（３）の条件をすべて満たす場合に、植生領域を混在植生領域に分類し、下記（１）〜（３）の条件をいずれか一つでも満たさない場合に、植生領域を単一植生領域に分類することが特に好ましい。
（１）Ｒ／Ｇ値の平均値が閾値以下（２５６階調に正規化した場合は、例えば、１２０以下が望ましい。）
（２）ヒストグラムの歪度が閾値以下（２５６階調に正規化した場合は、例えば、１以下が望ましい。）
（３）ヒストグラムの尖度が閾値以下（２５６階調に正規化した場合は、例えば、１４以下が望ましい。）
【００１５】
第１の本発明に係る植生領域抽出工程においては、カラー画像の各画素についてＲＧＢ値を求め、当該ＲＧＢ値が下記条件（Ｉ）又は（ＩＩ）を満たす画素から構成される領域を植生領域として抽出することが好ましい。
（Ｉ）０＜Ｂ／（Ｇ−Ｂ）＜Ｎ、且つ、Ｒ≦Ｇ又はＢ＋Ｍ＜Ｇ
（ここで、Ｎは最大階調値の１％以上６％以下のいずれかの値であり、Ｍは最大階調値の９％以上１４％以下のいずれかの値である。）
（ＩＩ）Ｒ、Ｇ、Ｂともに、最大階調値の７８％以上
【００１６】
第２の本発明は、カラー画像の各画素におけるＲＧＢ値の大小関係を用いて、植生領域を構成する画素を抽出する、植生領域抽出手段と、
抽出した植生領域の各画素について、Ｒ成分値をＧ成分値で除してＲ／Ｇ値を算出し、当該Ｒ／Ｇ値を用いたヒストグラムを作成する、ヒストグラム作成手段と、
作成されたヒストグラムから得られる統計量を用いて、植生領域が単一植生領域であるか混在植生領域であるかを分類する、クラス分類手段と、
クラス分類手段において、植生領域が混在植生領域に分類された場合、当該植生領域においてＲ／Ｇ値が閾値未満である画素から構成される領域を有害植生領域と判別する、判別手段と、
を備える、カラー画像に含まれる植生領域の判別装置である。
【００１７】
第２の本発明において、ヒストグラム作成手段が、Ｒ／Ｇ値を所定の階調に正規化し、各階調における画素数をヒストグラム化する手段であることが好ましい。
【００１８】
第２の本発明に係るクラス分類手段において、統計量として、Ｒ／Ｇ値の平均値、ヒストグラムの歪度及び尖度が用いられることが好ましい。
【００１９】
第２の本発明において、ヒストグラム作成手段が、Ｒ／Ｇ値を所定の階調（例えば、２５６階調が望ましい。）に正規化して、各階調における画素数をヒストグラム化する手段であり、クラス分類手段が、当該ヒストグラムから得られる統計量が下記（１）〜（３）の条件をすべて満たす場合に、植生領域を混在植生領域に分類し、下記（１）〜（３）の条件をいずれか一つでも満たさない場合に、植生領域を単一植生領域に分類する手段であることが特に好ましい。
（１）Ｒ／Ｇ値の平均値が閾値以下（２５６階調に正規化した場合は、例えば、１２０以下が望ましい。）
（２）ヒストグラムの歪度が閾値以下（２５６階調に正規化した場合は、例えば、１以下が望ましい。）
（３）ヒストグラムの尖度が閾値以下（２５６階調に正規化した場合は、例えば、１４以下が望ましい。）
【００２０】
第２の本発明において、植生領域抽出手段が、カラー画像の各画素についてＲＧＢ値を求め、当該ＲＧＢ値が下記条件（Ｉ）又は（ＩＩ）を満たす画素から構成される領域を植生領域として抽出する手段であることが好ましい。
（Ｉ）０＜Ｂ／（Ｇ−Ｂ）＜Ｎ、且つ、Ｒ≦Ｇ又はＢ＋Ｍ＜Ｇ
（ここで、Ｎは最大階調値の１％以上６％以下のいずれかの値であり、Ｍは最大階調値の９％以上１４％以下のいずれかの値である。）
（ＩＩ）Ｒ、Ｇ、Ｂともに、最大階調値の７８％以上
【００２１】
第３の本発明は、カラー画像を撮像する撮像装置と、第２の本発明に係る判別装置とを備える、カラー画像に含まれる植生領域の判別システムである。
【００２２】
第４の本発明は、カラー画像が入力された第２の本発明に係る判別装置に、
カラー画像の各画素におけるＲＧＢ値の大小関係を用いて、当該カラー画像に含まれる植生領域を抽出させ、
抽出させた植生領域の各画素に係るＲＧＢ値について、Ｒ成分値をＧ成分値で除してＲ／Ｇ値を算出させ、当該Ｒ／Ｇ値を用いたヒストグラムを作成させ、
作成させたヒストグラムから得られる統計量を用いて、植生領域が単一植生領域であるか混在植生領域であるかを分類させ、
植生領域が混在植生領域に分類された場合、当該植生領域においてＲ／Ｇ値が閾値未満である画素部分を有害植生領域と判別させる、
カラー画像に含まれる植生領域を判別させるプログラムである。
【００２３】
第４の本発明において、上記の判別装置に、Ｒ／Ｇ値を所定の階調に正規化させ、各階調における画素数をヒストグラム化させることが好ましい。
【００２４】
第４の本発明において、上記の判別装置に、統計量として、Ｒ／Ｇ値の平均値、ヒストグラムの歪度及び尖度を算出させることが好ましい。
【００２５】
第４の本発明において、上記の判別装置に、Ｒ／Ｇ値を所定の階調（例えば、２５６階調が望ましい。）に正規化して各階調における画素数をヒストグラム化させ、当該ヒストグラムから得られる統計量が下記（１）〜（３）の条件をすべて満たす場合に、植生領域を混在植生領域に分類させ、下記（１）〜（３）の条件をいずれか一つでも満たさない場合に、植生領域を単一植生領域に分類させることが特に好ましい。
（１）Ｒ／Ｇ値の平均値が閾値以下（２５６階調に正規化した場合は、例えば、１２０以下が望ましい。）
（２）ヒストグラムの歪度が閾値以下（２５６階調に正規化した場合は、例えば、１以下が望ましい。）
（３）ヒストグラムの尖度が閾値以下（２５６階調に正規化した場合は、例えば、１４以下が望ましい。）
【００２６】
第４の本発明において、上記の判別装置に、カラー画像の各画素についてＲＧＢ値を求め、当該ＲＧＢ値が下記条件（Ｉ）又は（ＩＩ）を満たす画素部分を植生領域として抽出させることが好ましい。
（Ｉ）０＜Ｂ／（Ｇ−Ｂ）＜Ｎ、且つ、Ｒ≦Ｇ又はＢ＋Ｍ＜Ｇ
（ここで、Ｎは最大階調値の１％以上６％以下のいずれかの値であり、Ｍは最大階調値の９％以上１４％以下のいずれかの値である。）
（ＩＩ）Ｒ、Ｇ、Ｂともに、最大階調値の７８％以上
【発明の効果】
【００２７】
本発明においては、ＲＧＢ値の大小関係を考慮して画像から植生領域を適切に抽出するとともに、Ｒ／Ｇ値を用いて画像中の植生領域を解析し、植生領域に含まれる有害植生領域とそれ以外とを判別するものとしている。植生領域を解析する際、Ｒ／Ｇ値をパラメータとして用いると、季節変化や太陽光等のデータ取得条件の影響が低減された相対的な解析が可能となる。すなわち、本発明によれば、季節変化や太陽光等のデータ取得条件の影響を低減しつつ、カラー画像から植生領域を抽出し、当該植生領域において、無害植生領域（芝領域）と有害植生領域とを適切に判別することが可能な判別方法、判別装置、判別システム及び判別プログラムを提供することができる。
【図面の簡単な説明】
【００２８】
【図１】一実施形態に係る本発明の判別方法を示す図である。
【図２】本発明に係る判別方法に供される前の画像データを説明するための図である。
【図３】植生領域が抽出された状態を説明するための図である。
【図４】ヒストグラムの一例を示す図である。
【図５】単一植生領域と混在植生領域とを説明するための図である。
【図６】植生領域の判別工程を説明するための図である。
【図７】本発明に係る判別方法に供された後の画像データを説明するための図である。
【図８】一実施形態に係る本発明の判別装置１００の構成を説明するための図である。
【図９】実施例に係る結果を示す図である。
【発明を実施するための形態】
【００２９】
１．カラー画像に含まれる植生領域の判別方法
図１に、カラー画像に含まれる有害植生領域の判別方法の一例を示す。図１に示すように判別方法Ｓ１０は、カラー画像データを入力し、任意に当該画像データを前処理する工程Ｓ０、カラー画像の各画素におけるＲＧＢ値の大小関係を用いて、植生領域を構成する画素を抽出する、植生領域抽出工程Ｓ１、抽出した植生領域の各画素について、Ｒ成分値をＧ成分値で除してＲ／Ｇ値を算出し、当該Ｒ／Ｇ値を用いたヒストグラムを作成する、ヒストグラム作成工程Ｓ２、作成されたヒストグラムから得られる統計量を用いて、植生領域が単一植生領域であるか混在植生領域であるかを分類する、クラス分類工程Ｓ３、及び、クラス分類工程Ｓ３において植生領域が混在植生領域に分類された場合、当該植生領域においてＲ／Ｇ値が閾値未満である画素から構成される領域を、有害植生領域と判別する、判別工程Ｓ４を備えている。
【００３０】
（工程Ｓ０）
工程Ｓ０は、カラー画像データを判別装置に入力し、任意に前処理を行う工程である。入力される画像のサイズや階調等は特に限定されるものではない。例えば、ＲＧＢともに２５６階調のカラー画像を用いれば良い。前処理については、例えば、入力した画像データにおいて、画像端部に、撮像装置の仕様による歪みや画像の撮影日時等を示す文字列が存在する場合があり、このような場合には、画像端部を所定画素数分だけ除去することにより、不要な歪みや文字列を除去することが好ましい。これにより、有害植生領域の判別精度を向上させることができる。
【００３１】
（植生領域抽出工程Ｓ１）
植生領域抽出工程Ｓ１は、カラー画像の各画素におけるＲＧＢ値の大小関係を用いて、植生領域を構成する画素を抽出する工程である。処理対象である画像には、例えば、図２に概略的に示す画像１０のように、植生領域１（芝領域１ａ、有害植生領域１ｂ）とそれ以外の領域（土領域２）とが混在して存在する場合がある。工程Ｓ１では、このように複数混在する領域から、植生領域１のみを抽出する。
【００３２】
本発明者らが鋭意研究し、画像に含まれる植生領域１（芝領域１ａ、有害植生領域１ｂ）及びそれ以外の領域（土領域２）のＲＧＢ値をそれぞれ調査した結果、芝領域１ａおよび土領域２におけるＲ成分及びＧ成分の値、並びに、有害植生領域１ｂ及び土領域２におけるＢ成分の値はそれぞれ近似することがわかった。より具体的には、Ｒ成分値やＧ成分値は、有害植生領域１ｂにおいて、芝領域１ａや土領域２よりも高くなり、Ｂ成分値は、有害植生領域１ｂ及び土領域２において、芝領域１ａよりも高くなることが分かった。すなわち、ＲＧＢ値のうちのいずれか一つの値に着目しただけでは、画像から植生領域１のみを抽出することは困難と考えられた。一方、植生領域１においては、ＲＧＢ値のうち、Ｇ成分値が他の成分値よりも大きくなることもわかった。
【００３３】
すなわち、ＲＧＢ値のうちのいずれか一つの値のみに着目するのではなく、ＲＧＢ値の大小関係を用いることにより、画像から植生領域１のみを適切に抽出できる。好ましくは下記の通りである。
【００３４】
ＲＧＢ値の大小関係を考慮した結果、植生領域１と土領域２とでは、Ｂ値を（Ｇ−Ｂ）値で除した値である「Ｂ／（Ｇ−Ｂ）値」に差が生じることを認めた。より具体的には、Ｂ／（Ｇ−Ｂ）値が下記条件（Ｉ−１）を満たす画素から構成される領域を抽出することで、植生領域１を適切に抽出することができる。
（Ｉ−１）  ０＜Ｂ／（Ｇ−Ｂ）＜Ｎ
【００３５】
上記数値範囲の上限値Ｎは、判別対象であるカラー画像の最大階調値の１％以上６％以下のいずれかの値である。最大階調が２５６階調の場合は５以上１５以下のいずれかの値とすることができる。特に、植生領域１を最も良好に抽出できる上限値Ｎは、最大階調値の４％程度の値（２５６階調の場合は１０）である。また、上述の通り、植生領域１は、Ｂ成分と比較してＧ成分が高い値を示すため、下限値を０とすることができる。
【００３６】
ただし、上記条件（Ｉ−１）のみでは、一部領域を誤抽出してしまう場合がある。この観点から、植生領域１のみを一層適切に抽出するためには、上記条件（Ｉ−１）とともに、下記条件（Ｉ−２）を同時に満たす画素領域を抽出することが特に好ましい。
（Ｉ−２）  Ｒ≦Ｇ又はＢ＋Ｍ＜Ｇ
【００３７】
上記条件（Ｉ−２）は、植生領域１においては、Ｒ成分値及びＢ成分値と比較して、Ｇ成分値が大きくなることに着目して設定したものである。尚、植生領域１におけるＧ成分値とＲ成分値との差よりも、Ｇ成分値とＢ成分値との差の方が大きくなるため、Ｂ＋Ｍ＜Ｇとするとよい。ここで、Ｂ成分値に加算する値Ｍは、最大階調値の９％以上１４％以下のいずれかの値である。最大階調値が２５６階調の場合は２５以上３５以下のいずれかの値とすることができる。特に、植生領域１を最も良好に抽出できる値Ｍは、最大階調値の１２％程度（２５６階調の場合は３０）である。
【００３８】
さらに、本発明者らが鋭意研究したところ、有害植生領域１ｂにおいては、他の領域よりも太陽光の影響を大きく受け、階調値が著しく上昇する部分が存在することを知見した。すなわち、ＲＧＢ値がともに最大階調値の７８％以上（２５６階調の場合は、例えば２００以上）の領域は、太陽光の影響を受けた有害植生領域１ｂであると言える。この観点から、下記条件（ＩＩ）を満たす画素領域についても、植生領域１として抽出することができる。
（ＩＩ）  Ｒ、Ｇ、Ｂともに最大階調値の７８％以上
【００３９】
以上をまとめると、植生領域抽出工程Ｓ１において、画像に含まれる植生領域１のみを適切に抽出可能とするためには、ＲＧＢ値が下記条件（Ｉ）又は（ＩＩ）を満たす画素から構成される領域を抽出することが最も好ましい。
（Ｉ）０＜Ｂ／（Ｇ−Ｂ）＜Ｎ、且つ、Ｒ≦Ｇ又はＢ＋Ｍ＜Ｇ
（ここで、Ｎは最大階調値の１％以上６％以下のいずれかの値、好ましくは最大階調値の４％程度の値であり、Ｍは最大階調値の９％以上１４％以下のいずれかの値、好ましくは最大階調値の１２％程度の値である。）
（ＩＩ）Ｒ、Ｇ、Ｂともに、最大階調値の７８％以上
【００４０】
判別対象であるカラー画像のＲＧＢがともに２５６階調である場合は、上記条件（Ｉ）、（ＩＩ）は具体的には下記の通りとすることが望ましい。
（Ｉ）０＜Ｂ／（Ｇ−Ｂ）＜Ｎ、且つ、Ｒ≦Ｇ又はＢ＋Ｍ＜Ｇ
（ここで、Ｎは５以上１５以下のいずれかの値、好ましくは１０であり、Ｍは２５以上３５以下のいずれかの値、好ましくは３０である。）
（ＩＩ）Ｒ≧２００、且つ、Ｇ≧２００、且つ、Ｂ≧２００
【００４１】
このように、工程Ｓ１において、ＲＧＢ値の大小関係を用いて植生領域１を抽出することによって、例えば、図３に示すような、植生領域１以外の領域（土領域２）が棄却された画像２０を得ることができる。
【００４２】
（ヒストグラム作成工程Ｓ２）
ヒストグラム作成工程Ｓ２は、抽出した植生領域１の各画素について、Ｒ成分値をＧ成分値で除してＲ／Ｇ値を算出し、当該Ｒ／Ｇ値を用いたヒストグラムを作成する工程である。
【００４３】
植生領域１に含まれる芝領域１ａと有害植生領域１ｂとについてＲＧＢ値を比較・解析したところ、（Ｇ−Ｒ）値が、有害植生領域１ｂでは大きく、芝領域１ａでは小さな値となることが分かった。すなわち、Ｒ成分値をＧ成分値で除したＲ／Ｇ値は、有害植生領域１ｂでは小さく、芝領域１ａでは大きな値となる。ここで、Ｒ／Ｇ値をパラメータとして用いると、季節変化や太陽光等のデータ取得条件の影響が低減された相対的な解析が可能となる。Ｒ成分値、Ｇ成分値それぞれにデータ取得条件の影響が含まれているが、Ｒ成分値をＧ成分値で除することにより、当該データ取得条件の影響が相殺・低減されるためである。ここで、植生領域１における各画素について、それぞれＲ／Ｇ値を算出し、Ｒ／Ｇ値についてのヒストグラムを作成した場合、植生領域１において芝領域１ａと有害植生領域１ｂとが混在する場合（混在植生領域）と、芝領域のみ又は有害植生領域のみが存在する場合（単一植生領域）とで、ヒストグラムの形状が異なる。
【００４４】
工程Ｓ２においては、特に、Ｒ／Ｇ値を所定の階調に正規化し、各階調における画素数をヒストグラム化するとよい。「所定の階調」とは、通常２５６階調であるが、それ以外の階調（６４階調や１２８階調等）であっても良い。ただし、解析を容易とする観点、及び、より好適なヒストグラムを作成する観点からは、Ｒ／Ｇ値を２５６階調に正規化することが好ましい。図４にヒストグラムの一例（ヒストグラム３０）を示す。
【００４５】
（クラス分類工程Ｓ３）
クラス分類工程Ｓ３は、作成されたヒストグラムから得られる統計量を用いて、植生領域１が単一植生領域であるか混在植生領域であるかを分類する工程である。単一植生領域としては、例えば、図５（Ａ）の画像１０ａに示すような芝領域１ａのみからなる植生領域が挙げられる。また、図５（Ｂ）の画像１０ｂに示すような有害植生領域１ｂのみからなる植生領域も単一植生領域に分類される。混在植生領域としては、図３に示したような芝領域１ａと有害植生領域１ｂとが混在するような植生領域が挙げられる。
【００４６】
クラス分類工程Ｓ３において用いられる「ヒストグラムから得られる統計量」としては、Ｒ／Ｇ値の平均値、並びに、ヒストグラムの分散度、歪度及び尖度等のヒストグラムの形状から得られる値が挙げられる。特に、Ｒ／Ｇ値の平均値、ヒストグラムの歪度及び尖度のいずれかを用いることが好ましく、少なくともヒストグラムの歪度及び尖度を用いることがより好ましく、少なくともＲ／Ｇ値の平均値、ヒストグラムの歪度及び尖度を用いることが最も好ましい。尚、本願において、ヒストグラムの「分散度」、「歪度」及び「尖度」は、従来公知の算出式を用いて算出することができる。
【００４７】
上述した通り、Ｒ／Ｇ値は有害植生領域１ｂにおいて小さな値となるため、植生領域１が混在植生領域である場合には、Ｒ／Ｂ値の平均値が、芝領域１ａのみからなる単一植生領域である場合よりも相対的に小さな値となり、有害植生領域１ｂのみからなる単一植生領域である場合よりも相対的に大きな値となりやすい。また、本発明者らの解析により、混在植生領域は、単一植生領域と比較し階調値のばらつきが大きくなることが分かった。当該階調値のばらつきは、例えば、階調毎に画素数をヒストグラム化した場合に、ヒストグラムの歪度や尖度に影響を与える。すなわち、ヒストグラムの歪度や尖度が閾値以下の場合、植生領域を混在植生領域として分類することができる。以上をまとめると、クラス分類工程Ｓ３においては、下記（１）〜（３）の条件をすべて満たす場合に、植生領域を混在植生領域に分類し、下記（１）〜（３）の条件をいずれか一つでも満たさない場合に、植生領域を単一植生領域に分類することが特に好ましい。
（１）Ｒ／Ｇ値の平均値が閾値以下
（２）ヒストグラムの歪度が閾値以下
（３）ヒストグラムの尖度が閾値以下
【００４８】
特に、ヒストグラム作成工程Ｓ２において、Ｒ／Ｇ値を所定の階調に正規化してヒストグラムを作成した場合は、Ｒ／Ｇ値の平均値に係る閾値を最大階調値の４０％〜５０％（２５６階調に正規化した場合、最も好ましくは１２０）とすることができる。また、Ｒ／Ｇ値を２５６階調に正規化してヒストグラムを作成した場合、ヒストグラムの歪度に係る閾値を１とし、ヒストグラムの尖度に係る閾値を１４とすることで、最も適切に植生領域１の分類を行うことができる。
【００４９】
（判別工程Ｓ４）
判別工程Ｓ４は、クラス分類工程Ｓ３において植生領域１が混在植生領域に分類された場合、当該植生領域１においてＲ／Ｇ値が閾値未満である画素から構成される領域を、有害植生領域１ｂと判別する工程である。上述の通り、Ｒ／Ｇ値は、有害植生領域１ｂでは小さく、芝領域１ａでは大きな値となる。よって、図６に示すように、Ｒ／Ｇ値が閾値以上である画素から構成される領域を芝領域１ａ、Ｒ／Ｇ値が閾値未満である画素から構成される領域を有害植生領域１ｂとして適切に判別することができる。
【００５０】
例えば、Ｒ／Ｇ値を所定の階調に正規化した場合は、判別工程Ｓ４におけるＲ／Ｇ値の閾値を最大階調値の４１％〜４６％に相当する値とすることが好ましい。例えば、２５６階調に正規化した場合は、１０４〜１１９を閾値として設定することができる。ただし、当該閾値はあくまでも例示である。閾値については適宜修正することができる。また、ヒストグラムを用いた公知の判別分析法（大津の方法）によって、閾値を設定してもよい。
【００５１】
尚、植生領域１中の有害植生領域１ｂにおいては、上述の通り、太陽光が有害植生の上部にて反射し、色情報が変化している場合がある。この場合、有害植生領域１ｂの一部画素において、Ｒ／Ｂ値が閾値以上となり、有害植生領域１ｂの一部が芝領域１ｂであると誤って判別される場合がある。これを防ぐ観点からは、有害植生領域１ｂに係る部分については膨張収縮処理を施すことが好ましい。具体的には、有害植生領域１ｂとして判別された画素の近傍８画素は、同様の有害植生領域１ｂであるものとみなして修正を行う膨張処理を行い、さらに有害植生領域１ｂの近傍８画素に芝領域１ａなどの他の領域がある場合には、芝領域であるとみなして、有害植生領域１ｂを芝領域に修正する収縮処理を行うと良い。
【００５２】
判別工程Ｓ４を経ることで、例えば、図７に概略的に示すように、芝領域と有害植生領域と土領域とが適切に判別された画像４０を得ることができる。
【００５３】
以上のように、判別方法Ｓ１０においては、ＲＧＢ値の大小関係を考慮して画像から植生領域１を適切に抽出するとともに（工程Ｓ１）、Ｒ／Ｇ値を用いて画像中の植生領域１を解析、ヒストグラム化し（工程Ｓ２）、当該ヒストグラムから得られる統計量を用いて植生領域１に含まれる有害植生領域１ｂとそれ以外（芝領域１ａ）とを判別するものとしている（工程Ｓ３、Ｓ４）。植生領域１を解析する際、Ｒ／Ｇ値をパラメータとして用いると、季節変化や太陽光等のデータ取得条件の影響が低減された相対的な解析が可能となる。すなわち、判別方法Ｓ１０によれば、季節変化や太陽光等のデータ取得条件の影響を低減しつつ、カラー画像から植生領域１を抽出し、当該植生領域１において、無害植生領域（芝領域１ａ）と有害植生領域１ｂとを適切に判別することが可能である。また、画像中の植生領域１の割合や、植生領域１における有害植生領域１ｂの割合も適切に算出することが可能である。
【００５４】
２．カラー画像に含まれる植生領域の判別装置、判別システム、及び判別プログラム
本発明に係る判別方法Ｓ１０を実行可能な判別装置について説明する。図８に一実施形態に係る本発明の判別装置１００を概略的に示す。図８に示すように、判別装置１００は、上記前処理に係る工程Ｓ０を行う前処理手段、植生領域抽出工程Ｓ１を行う植生領域抽出手段、上記ヒストグラム作成工程Ｓ２を行うヒストグラム作成手段、上記クラス分類工程Ｓ３を行うクラス分類手段、及び、上記判別工程Ｓ４を行う判別手段、として機能するＣＰＵ１１、並びに、ＣＰＵ１１に対する記憶装置等を備えている。ＣＰＵ１１は、マイクロプロセッサユニット及びその動作に必要な各種周辺回路を組み合わせて構成され、ＣＰＵ１１に対する記憶装置は、例えば、上記工程Ｓ１〜Ｓ４の判断、実行に必要なプログラムや各種データ（例えば、判定対象となる複数の画像データ）を記憶するＲＯＭ１２と、ＣＰＵ１１の作業領域として機能するＲＡＭ１３等を組み合わせて構成されている。当該構成に加えて、さらに、ＣＰＵ１１が、ＲＯＭ１２に記憶されたソフトウェアと組み合わされることにより、判別装置１００が機能する。
【００５５】
画像データの植生領域の判別を行うユーザは、入力手段１６（例えば、パソコンのキーボード等）を介して、判別装置１００へとデータを入力していく。入力手段１６からの入力信号は、入力ポート１４を介して、入力信号としてＣＰＵ１１へと到達する。ＣＰＵ１１は、入力手段１６からの信号、及び、ＲＯＭ１２に記憶されたプログラムに基づいて、上記工程Ｓ１〜Ｓ４を行い、出力ポート１５を介して、判別結果に関する信号を出力手段（例えば、パソコンの画面等）へと出力し、出力手段１７に植生領域の判別結果が表示される。例えば、複数の画像データに対して植生領域の判別方法Ｓ１０をそれぞれ実行し、画像データにおける植生領域が単一植生領域であるか混在植生領域であるかを分類し、当該分類結果や画像に占める有害植生領域の割合等が出力手段１７に表示される形態のほか、画像データのうち有害植生領域の割合が一定以上である画像のみを表示したり、或いは、有害植生領域の割合が大きい順に複数の画像データが並び替えられて出力手段１７に表示されるような形態とすることで、出力手段１７に表示された結果により、ユーザは撮像地点の有害植生の除草作業の要否を容易に判断することができる。
【００５６】
具体的には、入力手段１６を介して、判別方法Ｓ１０を実行するために必要となる信号や情報（画像データの選択信号、ヒストグラムを作成するための階調設定、ヒストグラムから得られる統計量の算出式、各種閾値等）が、判別装置１００へと入力される。一方、ＲＯＭ１２には、本発明に係る判別方法Ｓ１０を実行可能な判定プログラムが記憶されており、当該プログラムを実行することによって、ＣＰＵ１１にて判別方法Ｓ１０を行わせることができる。判別プログラムは、判別装置１００に判別方法Ｓ１０を行わせることができるものであれば特に限定されるものではないが、例えば、下記のようなものとすることができる。
【００５７】
すなわち、カラー画像が入力された判別装置１００において、ユーザからの入力信号によって、ＣＰＵ１１に、カラー画像の各画素におけるＲＧＢ値の大小関係を用いて、当該カラー画像に含まれる植生領域を抽出させ、抽出させた植生領域の各画素に係るＲＧＢ値について、Ｒ成分値をＧ成分値で除してＲ／Ｇ値を算出させ、当該Ｒ／Ｇ値を用いたヒストグラムを作成させ、作成させたヒストグラムから得られる統計量を用いて、植生領域が単一植生領域であるか混在植生領域であるかを分類させ、植生領域が混在植生領域に分類された場合、当該植生領域においてＲ／Ｇ値が閾値未満である画素部分を有害植生領域と判別させる、判別プログラムによって、判別装置１００に判別方法Ｓ１０を実行させることができる。
【００５８】
ここで、判別装置１００に、Ｒ／Ｇ値を所定の階調に正規化させ、各階調における画素数をヒストグラム化させることが好ましい。上述の通り、所定の階調に正規化させたＲ／Ｇ値を用いてヒストグラムを作成することにより、ヒストグラムの形状等の統計量から、植生領域が単一植生領域であるか混在植生領域であるかをより適切に分類することができる。
【００５９】
また、植生領域の分類をより適切に行う観点から、判別装置１００に、統計量として、Ｒ／Ｇ値の平均値、ヒストグラムの歪度及び尖度を算出させることが好ましい。また、判別装置１００に、Ｒ／Ｇ値の平均値、ヒストグラムの歪度及び尖度がいずれも閾値以下の場合に、植生領域を混在植生領域に分類させることがより好ましい。
【００６０】
特に、判別装置１００に、Ｒ／Ｇ値を所定の階調（例えば、２５６階調が望ましい。）に正規化して各階調における画素数をヒストグラム化させ、該ヒストグラムから得られる統計量が下記（１）〜（３）の条件をすべて満たす場合に、植生領域を混在植生領域に分類させ、下記（１）〜（３）の条件をいずれか一つでも満たさない場合に、植生領域を単一植生領域に分類させると、植生領域を単一植生領域又は混在植生領域に一層適切に分類することができる。
（１）Ｒ／Ｇ値の平均値が閾値以下（２５６階調に正規化した場合は、例えば、１２０以下が望ましい。）
（２）ヒストグラムの歪度が閾値以下（２５６階調に正規化した場合は、例えば、１以下が望ましい。）
（３）ヒストグラムの尖度が閾値以下（２５６階調に正規化した場合は、例えば、１４以下が望ましい。）
【００６１】
さらに、判別装置１００に、カラー画像の各画素についてＲＧＢ値を求めさせ、当該ＲＧＢ値が下記条件（Ｉ）又は（ＩＩ）を満たす画素から構成される領域を植生領域として抽出させると、カラー画像から植生領域のみを一層適切に抽出することが可能である。
（Ｉ）０＜Ｂ／（Ｇ−Ｂ）＜Ｎ、且つ、Ｒ≦Ｇ又はＢ＋Ｍ＜Ｇ
（ここで、Ｎは最大階調値の１％以上６％以下のいずれかの値、好ましくは最大階調値の４％程度の値であり、Ｍは最大階調値の９％以上１４％以下のいずれかの値、好ましくは最大階調値の１２％程度の値である。）
（ＩＩ）Ｒ、Ｇ、Ｂともに、最大階調値の７８％以上
【００６２】
判別対象であるカラー画像のＲＧＢがともに２５６階調である場合は、上記条件（Ｉ）、（ＩＩ）は具体的には下記の通りとすることが望ましい。
（Ｉ）０＜Ｂ／（Ｇ−Ｂ）＜Ｎ、且つ、Ｒ≦Ｇ又はＢ＋Ｍ＜Ｇ
（ここで、Ｎは５以上１５以下のいずれかの値、好ましくは１０であり、Ｍは２５以上３５以下のいずれかの値、好ましくは３０である。）
（ＩＩ）Ｒ≧２００、且つ、Ｇ≧２００、且つ、Ｂ≧２００
【００６３】
以上のように、判別装置１００には、カラー画像の各画素におけるＲＧＢ値の大小関係を用いて、植生領域を構成する画素を抽出する、植生領域抽出手段（ＣＰＵ１１）と、抽出した植生領域の各画素について、Ｒ成分値をＧ成分値で除してＲ／Ｇ値を算出し、当該Ｒ／Ｇ値を用いたヒストグラムを作成する、ヒストグラム作成手段（ＣＰＵ１１）と、作成されたヒストグラムから得られる統計量を用いて、植生領域が単一植生領域であるか混在植生領域であるかを分類する、クラス分類手段（ＣＰＵ１１）と、クラス分類手段において、植生領域が混在植生領域に分類された場合、当該植生領域においてＲ／Ｇ値が閾値未満である画素から構成される領域を有害植生領域と判別する、判別手段（ＣＰＵ１１）とが備えられており、且つ、上記した判別プログラムによって、判別方法Ｓ１０を実行可能とされている。すなわち、当該判別装置１００によれば、季節変化や太陽光等のデータ取得条件の影響を低減しつつ、カラー画像から植生領域１を抽出し、当該植生領域１において、無害植生領域（芝領域１ａ）と有害植生領域１ｂとを適切に判別することが可能である。
【００６４】
尚、画像データの取得については公知の撮像装置を用いればよい。例えば、河川堤防の監視等に用いられる定点カメラから逐次得られる画像を用いることができる。上記説明においては、画像データをユーザが入力するものとして説明したが、定点カメラからの情報を、ネットワークを介して、判別装置１００が自動的・逐次的に受信可能なものとし、判別装置１００に対して、一定期間毎に、受信した画像データに対して上記判別方法Ｓ１０を行わせるように、プログラムを設定してもよい。
【実施例】
【００６５】
＜評価手法＞
本発明に係る判別方法を以下の方法により評価した。
（１）河川堤防に設置された撮像装置（マルチキャストＣＣＴＶ画像提供システム）から取得された画像（７２０画素×４８０画素、ＲＧＢ各２５６階調）５４枚について、本発明に係る判別装置を用いて本発明に係る判別方法を実施し、画像に含まれる植生領域が単一植生領域か混在植生領域かを分類した。
（２）植生領域として混在植生領域を含む画像１８枚を対象とし、本発明に係る判別方法によって、画像を有害植生領域、芝領域、並びにその他の領域へと判別した判別結果（実施例）と、ＲＧＢ成分又はa*成分を特徴量として用い、ｋ−ｍｅａｎｓ法（ｋ＝３）を対象画像に施して得られる判別結果（比較例）と、目視により有害植生領域、芝領域、並びにその他の領域へと判別した判別結果（参考例）とをそれぞれ取得して判別結果の類似性を比較した。なお、比較例について、a*成分は、芝におけるa*の値が有害植生と比較して高い結果が得られたため、特徴量として用いた。
（３）植生領域として混在植生領域を含む画像１８枚を対象とし、本発明に係る判別方法によって、画像を有害植生領域、芝領域、並びにその他の領域へと判別した判別結果（実施例）と、目視により有害植生領域、芝領域、並びにその他の領域へと判別した判別結果（参考例）とをそれぞれ取得し、判別結果の一致率を算出した。「一致率」とは、実施例と参考例との間で、同一領域と判定された画素の割合を算出したものである。
【００６６】
＜評価結果＞
本発明の判別方法に係るクラス分類処理の結果、対象画像データ５４枚中５４枚（１００％）で、堤防画像に含まれる植生領域が混在植生領域か単一植生領域かを正しく分類することできた。
【００６７】
図９に、一の画像データ（図９（Ａ））に対して、目視により有害植生領域、芝領域、並びにその他の領域を判別した判別結果（参考例：図９（Ｂ））と、本発明の判別方法により得られた有害植生領域および芝領域の判別結果（実施例：図９（Ｃ））と、a*成分を特徴量として用い、ｋ−ｍｅａｎｓ法（ｋ＝３）を対象画像に施して得られる判別結果（比較例：図９（Ｄ））と、ＲＧＢ成分を特徴量として用い、ｋ−ｍｅａｎｓ法（ｋ＝３）を対象画像に施して得られる判別結果（比較例：図９（Ｅ））とを示す。図９から明らかなように、ｋ−ｍｅａｎｓ法を用いて判別した結果（図９（Ｄ）、（Ｅ））においては、芝領域をその他の領域と誤分類し、また、有害植生領域を芝領域と誤分類していることが分かる。一方、本発明に係る判別方法により植生領域を判別した場合（図９（Ｃ））、目視により判別した場合（図９（Ｂ））に類似した結果が得られることが分かる。すなわち、本発明に係る判別方法が、河川堤防画像の分類および植生領域の判別に有用であると言える。
【００６８】
本発明に係る判別方法によって、画像を有害植生領域、芝領域、並びにその他の領域へと判別した判別結果（実施例）と、目視により有害植生領域、芝領域、並びにその他の領域へと判別した判別結果（参考例）とをそれぞれ取得し、判別結果の一致率を算出したところ、全画素の一致率（１８枚の平均値）は８１．３％と良好な結果が得られた。また、不一致率（１８．７％）については、下記表１のような内訳となった。不一致率の主なものは、植生領域抽出工程（工程Ｓ１）において、ポールやコドラート等の画像に含まれるその他領域が、有害植生領域や芝領域として誤抽出されていることに起因するものであった。したがって、植生領域抽出工程における抽出精度を向上させることで、一致率をさらに向上させることができるものと考えられる。
【００６９】
【表１】
0005679312.tif 000002
【００７０】
以上、現時点において、最も実践的であり、且つ、好ましいと思われる実施形態に関連して本発明を説明したが、本発明は、本願明細書中に開示された実施形態に限定されるものではなく、請求の範囲及び明細書全体から読み取れる発明の要旨あるいは思想に反しない範囲で適宜変更可能であり、そのような変更を伴う植生領域の判別方法、判定装置、判別システム、及び判定プログラムもまた本発明の技術範囲に包含されるものとして理解されなければならない。
【産業上の利用可能性】
【００７１】
本発明によれば、例えば、河川堤防に設けられたカメラから取得される画像を用いて、河川堤防の状況を自動的に収集し、有害植生の定量的な評価を行うことができ、河川堤防の維持管理を支援することができる。
【符号の説明】
【００７２】
１  植生（植生領域）
１ａ  芝（芝領域）
１ｂ  有害植生（有害植生領域）
２  土（土領域）
【図１】
0005679312.tif 000003
【図８】
0005679312.tif 000004
【図２】
0005679312.tif 000005
【図３】
0005679312.tif 000006
【図４】
0005679312.tif 000007
【図５】
0005679312.tif 000008
【図６】
0005679312.tif 000009
【図７】
0005679312.tif 000010
【図９】
0005679312.tif 000011